(57)【要約】本発明は、調達ポリシーに関する。調達ポリシーの共通集合を施行しながら多数のネットワークベース小売業者から購買を行う能力を提供するための様々な方法及び技術が説明される。ユーザは、電子市場から入手可能な１つまたは複数の商品に関わる取引を進める要求を提出する。調達ポリシー集合は、ユーザのアカウントに対応付けられ得る。調達ポリシー集合から、取引に適用される調達ポリシーが発見され得る。当調達ポリシーは、それから取引に適用される。【選択図】図３
2018503923.tif 000002
【特許請求の範囲】
【請求項１】
特定のコンピュータ実行可能命令を実行する、サービスプロバイダに対応付けられた第１コンピューティングデバイスの制御の下、
事業体のための商品の調達に関する要求を第２コンピューティングデバイスから受信することであって、
前記要求は、前記第２コンピューティングデバイスにより実行されるブラウザアプリケーションを介して前記第２コンピューティングデバイスによりユーザに提示されるネットワーク小売サイトからの前記商品の提案を特定し、
前記ユーザに対応付けられ、
前記ブラウザアプリケーションに対する拡張により生成され、
前記ユーザは前記事業体に対応付けられ、
前記事業体は前記サービスプロバイダとは異なる、受信することと、
前記要求に応じて、電子データストアにおける前記サービスプロバイダにより保持される複数の調達ポリシーから、前記商品の前記調達に関する調達ポリシーを特定することであって、
前記特定することは前記ユーザの属性に少なくとも部分的に基づき、
前記複数の調達ポリシーは、様々な事業体のために前記電子データストアにおける前記サービスプロバイダにより保持される、特定することと、
前記事業体のための前記商品の調達を前記調達ポリシーが提供することを判定することと、
前記調達ポリシーに従って、前記事業体のために前記ネットワーク小売サイトからの前記商品に関する購買取引を開始することとを含むコンピュータ実施方法。
【請求項２】
前記ユーザは、前記サービスプロバイダに対応付けられたユーザアカウントにログインすることを求められ、前記調達ポリシーは、前記複数の調達ポリシーから、前記ユーザの前記属性、並びに前記調達ポリシーと前記ユーザアカウントとの関連性に少なくとも部分的に基づいて特定される、請求項１に記載のコンピュータ実施方法。
【請求項３】
前記ネットワーク小売サイトは前記サービスプロバイダとアフィリエイト関係にない、請求項１に記載のコンピュータ実施方法。
【請求項４】
前記要求は、前記商品の前記提案を特定するクッキー、前記商品の前記提案を特定するハイパーリンク、前記商品の前記提案を特定するブックマーク、または前記商品の前記提案を特定するユニフォームリソース識別子のうちの少なくとも１つを含む、請求項３に記載のコンピュータ実施方法。
【請求項５】
特定のコンピュータ実行可能命令を記憶するように構成されるデータストアと、
前記データストアと通信する第１コンピューティングデバイスとを備えるシステムであって、前記第１コンピューティングデバイスはプロセッサを含み、前記プロセッサは、前記特定のコンピュータ実行可能命令を実行して少なくとも、
ブラウザアプリケーションを実行する第２コンピューティングデバイスから商品の取引の要求を受信することであって、前記取引は事業体のために行われ、前記要求は前記ブラウザアプリケーションに対する拡張とのユーザによる操作に応じて生成され、前記ブラウザアプリケーションは前記第２コンピューティングデバイス上で前記商品に関する情報を提示する、受信することと、
前記要求から前記商品を特定することと、
複数の調達ポリシーから、前記商品の前記取引に適用される前記事業体に対応付けられた調達ポリシーを特定することであって、前記複数の調達ポリシーから特定される前記調達ポリシーは前記ユーザの属性に少なくとも部分的に基づく、特定することと、
前記事業体に対応付けられた前記調達ポリシーに少なくとも部分的に基づいて、前記商品の前記取引が実行可能であることを判定することと、
前記事業体のために前記商品の前記取引の実行を開始することとを実施するように構成される、前記システム。
【請求項６】
前記調達ポリシーは、前記複数の調達ポリシーから、前記事業体、前記ユーザ、支払方法、または前記商品のカテゴリのうちの少なくとも１つに部分的に基づいて特定される、請求項５に記載のシステム。
【請求項７】
前記調達ポリシーは、最高取引額、最低取引額、利用すべき支払方法の種類、前記事業体内の前記ユーザの役割、前記取引を完了する前に必要となる認可、または前記商品のカテゴリのうちの少なくとも１つに関連する規則を含む、請求項５に記載のシステム。
【請求項８】
前記要求は、クッキー、ハイパーリンク、ブックマーク、またはユニフォームリソース識別子のうちの少なくとも１つを含む、請求項５に記載のシステム。
【請求項９】
前記要求は、前記商品が取得可能なネットワークサイトを特定する、請求項５に記載のシステム。
【請求項１０】
前記購買取引を開始することは、前記第２コンピューティングデバイス上に前記ブラウザアプリケーションによりチェックアウトページを提示させることを含み、前記チェックアウトページは、前記商品が取得可能な前記ネットワークサイトのプロバイダとは異なるサービスプロバイダに対応付けられる、請求項９に記載のシステム。
【請求項１１】
前記プロセッサはさらに、前記事業体のために前記商品の前記取引を実行するために、調達ワークフローを少なくとも実施する前記特定のコンピュータ実行可能命令を実行するように構成される、請求項５に記載のシステム。
【請求項１２】
特定のコンピュータ実行可能命令を記憶する非一時的コンピュータ可読記憶メモリデバイスであって、プロセッサにより実行されると、コンピュータシステムに少なくとも、
ブラウザを実行するコンピューティングデバイスから、第１商品の調達に関する第１要求を受信することであって、前記ブラウザは第１ネットワークサイトから前記第１商品を参照する第１ネットワークページを提示するため、前記第１要求は前記ブラウザに対する拡張とのユーザによる操作に応じて生成される、受信することと、
前記第１要求から前記第１商品を特定することと、
前記第１ネットワークサイトのプロバイダとは異なるサービスプロバイダにより保持されるデータストアに記憶される複数の調達規則から、前記ユーザまたは前記実体のうちの少なくとも１つに対応付けられる、前記商品に関する調達規則を特定することとを実施させる、前記非一時的コンピュータ可読記憶メモリデバイス。
【請求項１３】
前記命令は、プロセッサにより実行されると、さらに前記コンピュータシステムに少なくとも、
前記ブラウザを実行する前記コンピューティングデバイスから、第２商品の調達に関する第２要求を受信することであって、前記ブラウザは第２ネットワークサイトから前記第２商品を参照する第２ネットワークページを提示するため、前記第２要求は前記ブラウザに対する前記拡張との前記ユーザによる操作に応じて生成される、受信することと、
前記第２要求から前記第２商品を特定することと、
前記調達規則に従って、前記第１商品及び前記第２商品の調達を開始することとを実施させる、請求項１２に記載の非一時的コンピュータ可読記憶メモリデバイス。
【請求項１４】
前記要求は、クッキー、ハイパーリンク、ブックマーク、またはユニフォームリソース識別子のうちの少なくとも１つを含む、請求項１２に記載の非一時的コンピュータ可読記憶メモリデバイス。
【請求項１５】
前記第１商品の調達は、前記調達規則により提供される情報を使用して開始され、前記ユーザは前記調達規則により提供される前記情報を変更できない、請求項１２に記載の非一時的コンピュータ可読記憶メモリデバイス。
【発明の詳細な説明】
【技術分野】
【０００１】
関連出願の相互参照
本出願は、国際出願であり、２０１５年２月３日に出願された“ＵＮＩＶＥＲＳＡＬ  ＢＵＳＩＮＥＳＳ  ＰＲＯＣＵＲＥＭＥＮＴ”と題する米国特許出願第１４／６１２，４５７号に対する優先権を主張し、その開示内容全体は参照により本明細書に組み込まれるものとする。
【背景技術】
【０００２】
インターネットの利用の増加に伴い、電子小売業者は、それぞれの在庫管理方法、商品可給性、及び出荷実務において大幅な改善を行ってきた。ネットワークベース小売業者によるこれらの改善により、ネットワークベース小売業者は、商品（例えば品物及び／またはサービス）を消費者に提供する効率的かつ安価な方法を作成することが可能となった。しかしながら、このような傾向にもかかわらず、事業は多くの場合、事業または企業レベルで多数のネットワークベース小売業者から購買できないように調達方針を定めているため、結果、商品の可給性及び出荷に対し、在庫管理におけるこれらの改善の利点を生かすことができない。
【０００３】
本開示による様々な実施形態は、図面を参照して説明される。
【図面の簡単な説明】
【０００４】
【図１】少なくとも一実施形態による汎用調達システムの態様を示すユースケース図である。
【図２】少なくとも一実施形態による汎用調達システムを実施する例示的アーキテクチャの態様を示す概要図である。
【図３】少なくとも一実施形態による汎用調達システムにおいて提供される例示的調達施行の態様を示すデータフロー図である。
【図４】少なくとも一実施形態による汎用調達システムとの例示的ユーザ操作の態様を示すユースケース図である。
【図５】少なくとも一実施形態による汎用調達システムにおける例示的商品選択の態様を示すユーザインターフェイス図である。
【図６】少なくとも一実施形態による汎用調達システムにおいて調達ポリシーを実施する例示的方法の態様を示すフローチャートである。
【図７】少なくとも一実施形態による汎用調達システムにおいて購買取引を遂行する例示的方法の態様を示すフローチャートである。
【発明を実施するための形態】
【０００５】
以下の記述において、様々な実施形態が説明される。実施形態の完全な理解を提供するために、説明の適用上、具体的な構成及び詳細が明らかにされる。しかしながら、実施形態が具体的詳細なしに実行可能であることは、当業者には明らかであろう。さらに、説明される実施形態を不明瞭にしないために、周知の特徴は省略または簡略化され得る。
【０００６】
本明細書において説明される技術は、汎用調達システムを使用して多数のネットワーク小売サイトにわたって一貫した調達ポリシーを施行する手段をユーザに提供することを含む。具体的には、現開示は電子市場に調達ポリシーを施行することに関する。
【０００７】
少なくとも一実施形態によれば、調達ポリシーの共通集合を施行しながら多数のネットワーク小売サイトから購買を行う能力が、ユーザに提供される。ユーザは、購買を行う事業組織または他の実体の代理をする、あるいは購買を行う事業組織または他の実体の権限を伴う、任意の好適な人または実体であり得る。少なくとも一実施形態によれば、ユーザは、事業組織の調達代理人またはバイヤーといった、事業組織または実体の一員もしくは代理人であり得る。少なくとも一実施形態によれば、ユーザは、支給品または材料を購買する権限が与えられた実体の従業員または契約者であり得る。少なくとも一実施形態によれば、ユーザは、実体の代理で購買を行うために、汎用調達システムを提供するサービスプロバイダにより維持されるアカウントにログインする必要があり得る。
【０００８】
少なくとも一実施形態によれば、ユーザのコンピューティングデバイス上で利用されるブラウザを改良または増補するために、ネットワークサイト拡張（またはプラグイン）が用いられ得る。当ネットワークサイト拡張により、ユーザは、ネットワーク小売サイト上で通常購買可能な商品を選択し、サービスプロバイダにより提供されるチェックアウトインターフェイスを使用して選択した商品を購買することが可能となり得る。少なくとも一実施形態によれば、ネットワークサイト拡張は、サービスプロバイダを介した後の購買のために、ネットワーククッキー内の情報、または購買可能な商品を記述するネットワークページ（例えば「商品ページ」）へのリンクを記憶する。少なくとも一実施形態によれば、サービスプロバイダは、アフィリエイトネットワーク小売サイトといったネットワーク小売サイトとの関係を保持し得る。少なくとも一実施形態によれば、ネットワーク小売サイトは、サービスプロバイダとアフィリエイト関係でなくてもよい。
【０００９】
ユーザは、調達ポリシーを確立した事業または他の実体を表し得る。少なくとも一実施形態によれば、調達ポリシーは、サービスプロバイダにより保持されるデータストアに記憶される。調達ポリシー（調達規則と調達ワークフローとを含む）は、事業体、ユーザ、支払方法、商品の種類、及び／または多数の他の好適要素に基づいて、ユーザ購買に適用され得る。一旦適用されると、調達ポリシーは、商品が要求通りに実体に対し調達され得るか否かを判定し、及び／またはどのような条件下で商品が要求通りに実体に対し調達され得るかを決定し得る。例えば、調達ポリシーは、最高もしくは最低注文額、利用されるべき支払方法の種類、発注前に必要となる認可、特定のユーザにより注文可能な商品のカテゴリ（例えば事務用品）、または多数の制約を定め得る。例えば、特定のユーザによる所定金額を超える注文は、発注前の承認のために、ユーザのマネージャへ提示され得る。さらなる実施例として、調達ポリシーは、特定ユーザにより行われる全ての購買が会社のクレジットカードで発注されることを要求し得る。少なくとも一実施形態によれば、サービスプロバイダは、ユーザの代理として、第三者的ネットワーク小売りサイトに発注することが可能である。
【００１０】
図１は、少なくとも一実施形態による汎用調達システム１００の態様を示すユースケース図である。当説明的実施例において、ブラウザ１０２は、ネットワークサイト拡張（またはプラグイン）１０４が有効であることを示すアイコンを含んでいるように描かれる。当実施例におけるブラウザ１０２は、商品ページ１０６を表示している。商品ページ１０６は、サービスプロバイダ１１０とアフィリエイト関係にあり得るまたはあり得ないネットワーク小売サイト１０８（商品の提供者）により保持され得る。少なくとも一実施形態によれば、商品ページ１０６は、商品提案に関する情報を含み得る。商品提案には、消費者に対し商品（デジタル品を含む任意の好適な品物またはサービス）を売るための任意の好適な提示が含まれ得る。商品提案に関わる情報には、価格、出荷予定日、可給性、及び／または任意の他の好適な商品情報が含まれ得る。ブラウザ１０２は、ネットワーク接続１１２を介してサービスプロバイダ１１０とデータを送受信し得る。同様にサービスプロバイダ１１０は、ネットワーク接続１１４を介してネットワーク小売サイト１０８とデータを送受信し得る。サービスプロバイダ１１０により施行される調達ポリシー機能を提供するために、ネットワークサイト拡張１０４が使用され得る。当説明的実施例における実施形態は、サービスプロバイダ１１０により提供される機能を実行するためにネットワークサイト拡張１０４が使用されていることを示すが、当機能は多数の他のやり方でも実行され得ることが想定される。例えば、少なくとも一実施形態によれば、ユーザは、サービスプロバイダ１１０により提供されるポータルを通して、商品ページ１０６にアクセスし得る。少なくとも一実施形態によれば、調達ポリシーは、使用される支払方法のプロバイダにより施行され得るため、支払方法のプロバイダはサービスプロバイダ１１０としても機能する。例えば、クレジットカード会社は、支払いを認可して発注を行う前に調達ポリシーを施行することで、サービスプロバイダ１１０として機能し得る。
【００１１】
図２は、多数のネットワークベース小売業者及び小売サイトにわたって一貫した調達ポリシーを施行する技術が実行され得る少なくとも一実施形態による、例示的アーキテクチャ２００の態様を示す概略図である。アーキテクチャ２００において、１つまたは複数の消費者及び／またはユーザ２０２は、ユーザデバイス２０４を利用し得る。いくつかの実施例において、ユーザデバイス２０４は、ネットワーク（複数可）２０８を介して、または他のネットワーク接続を介して、サービスプロバイダ２０６と通信し得る。
【００１２】
ユーザデバイス２０４は、携帯電話、スマートフォン、パーソナルデジタルアシスタント（ＰＤＡ）、ラップトップコンピュータ、デスクトップコンピュータ、サーバコンピュータ、シンクライアントデバイス、またはタブレットＰＣ等が挙げられるがこれに限定されない、任意の好適な種類のコンピューティングデバイスであり得る。加えて、ユーザデバイス２０４は、時計、イヤピース、眼鏡、または任意の好適な種類のウェアラブル技術デバイスであり得る。ユーザデバイス２０４は、ユーザ入力を処理可能な１つまたは複数のプロセッサ２１０を含み得る。ユーザデバイス２０４は、ユーザ入力を受信する１つまたは複数の入力センサ２１２も含み得る。当技術分野で周知のように、キーパッド、タッチスクリーン、加速度計、カメラ、マイクロホン、または任意の好適な種類のセンサデバイス等、ユーザ入力を検出可能な様々な入力センサ２１２が存在する。入力センサにより取得されるユーザ入力は、音声データ、画像データ、または生体データを含むがこれに限定されない様々なデータ入力種類に由来し得る。少なくとも一実施形態によれば、ユーザデバイス２０４上のアプリケーションは、そのメモリ２１４に記憶され、そのメモリ２１４から実行され得る。
【００１３】
メモリ２１４のコンテンツをより詳しく見てみると、メモリ２１４は、ブラウザアプリケーション２１６を含み得る。メモリ２１４は、サービスプロバイダ２０６が調達プロトコルを施行可能なように、ブラウザアプリケーション２１６に対し能力を拡張する拡張モジュール２１８も含み得る。サンプルアーキテクチャ２００は、拡張モジュール２１８がユーザデバイス２０４のメモリ２１４のコンテンツに含まれているように示すが、少なくとも一実施形態によれば、ユーザデバイス２０４は、拡張モジュール２１８をユーザデバイス２０４のメモリ２１４内に含まなくてもよい。拡張モジュール２１８がメモリ２１４に含まれない場合、拡張モジュール２１８に関して説明される能力は、代わりにサービスプロバイダ２０６により提供され得る。これは下記にさらに詳しく説明される。
【００１４】
少なくとも一実施形態によれば、拡張モジュール２１８は、サービスプロバイダ２０６が調達プロトコルを施行可能なように、ブラウザアプリケーション２１６に対し能力を拡張するように構成され得る。少なくとも一実施形態によれば、拡張モジュール２１８は、サービスプロバイダ２０６による購買が可能となるように、第三者的ネットワーク小売サイトから商品提案（品物またはサービス等）を選択する能力をユーザ２０２に提供し得る。例えば、拡張モジュール２１８は、ユーザ２０２が様々なネットワークサイトから商品を選択し、後の購買のためにそれらを集約することを可能にする「ショッピングカート」アイコンにより表され得る。少なくとも一実施形態によれば、拡張モジュール２１８は、プラグイン、ウィジェット、またはブラウザ拡張であり得る。少なくとも一実施形態によれば、拡張モジュール２１８は、ユーザデバイス２０４上に配置される別個のアプリケーションであり得る。
【００１５】
いくつかの実施例において、ネットワーク（複数可）２０８は、ケーブルネットワーク、インターネット、無線ネットワーク、セルラーネットワーク、衛星ネットワーク、並びに他の私設及び／または公衆ネットワーク等、多数の異なる種類のネットワークのうちのいずれか１つまたはこれらの組み合わせを含み得る。示される実施例は、ユーザ２０２がネットワーク（複数可）２０８上でブラウザアプリケーション２１６を介してサービスプロバイダ２０６にアクセスすることを表すが、説明される技術は、例えば固定電話を介して、キオスクを介して、または任意の他の好適な手法で、ユーザ２０２が、ブラウザアプリケーション２１６を使用せずにユーザデバイス２０４を介してサービスプロバイダ２０６を操作する事例に同様に適用され得る。例えば、拡張モジュール２１８がブラウザアプリケーション２１６とは別個のアプリケーションである実施形態において、ユーザ２０２は、拡張モジュール２１８を介してサービスプロバイダ２０６を操作し得る。説明される技術は、他のクライアント／サーバ配置（例えばセットトップボックス）、並びに非クライアント／サーバ配置（例えばローカル格納アプリケーション、ピアツーピアシステム等）にも適用され得ることも留意されたい。
【００１６】
上記に簡単に説明されるように、ブラウザアプリケーション２１６により、ユーザ２０２は、データの記憶、アクセス、及び／または管理、コンピュータアプリケーションの開発及び／または展開、及び／または電子コンテンツの提供等、サービスプロバイダ２０６を操作することが可能となり得る。ブラウザアプリケーション２１６は、ネットワークサイトとのユーザ操作を支援する任意の好適な種類のクライアント側アプリケーションであり得る。このようなネットワークサイトの実施例には、ソーシャルネットワーキングサイト、ネットワーク小売サイト、情報サイト、ブログサイト、検索エンジンサイト、ニュース及び娯楽サイトが含まれる。前に論述されるように、説明される技術は、ブラウザアプリケーション２１６の外部でも、例えばユーザデバイス２０４上で作動している他のアプリケーションと共に、実施可能である。
【００１７】
サービスプロバイダ２０６は、携帯電話、スマートフォン、パーソナルデジタルアシスタント（ＰＤＡ）、ラップトップコンピュータ、デスクトップコンピュータ、サーバコンピュータ、シンクライアントデバイス、及び／またはタブレットＰＣ等が挙げられるがこれに限定されない、任意の好適な数及び／または種類のコンピューティングデバイスを含み得る、及び／または利用し得る。サービスプロバイダ２０６のコンピューティングデバイスは、相互動作を促進するように任意の好適な方法で相互接続され得る（例えば通信可能に相互接続され得る）。あるいは、またはさらに、サービスプロバイダ２０６は、ホストコンピューティング環境において実施される１つまたは複数の仮想マシンと共に実行され得る。ホストコンピューティング環境は、迅速に用意され公開される１つまたは複数のコンピューティングリソースを含み、当コンピューティングリソースには、コンピューティング、ネットワーク、及び／または記憶デバイスが含まれ得る。ホストコンピューティング環境は、クラウドコンピューティング環境とも称され得る。
【００１８】
一説明的構成において、サービスプロバイダ２０６は、少なくとも１つのメモリ２２０と、１つまたは複数の処理ユニット（すなわちプロセッサ（複数可））２２２とを含み得る。プロセッサ（複数可）２２２は、ハードウェア、コンピュータ実行可能命令、ファームウェア、またはこれらの組み合わせで、必要に応じて実行され得る。プロセッサ（複数可）２２２のコンピュータ実行可能命令またはファームウェアの実施態様は、説明される様々な機能を行うよう任意の好適なプログラミング言語で書かれるコンピュータ実行可能またはマシン実行可能命令を含み得る。
【００１９】
メモリ２２０は、プロセッサ（複数可）２２２上でロード可能かつ実行可能であるプログラム命令、並びにこれらのプログラムを実行中に生成されるデータを記憶し得る。サービスプロバイダ２０６の構成及び種類に応じて、メモリ２２０は、揮発性（ランダムアクセスメモリ（ＲＡＭ）等）及び／または不揮発性（読出専用メモリ（ＲＯＭ）、フラッシュメモリ等）であり得る。サービスプロバイダ２０６はまた、磁気ストレージ、光ディスク、及び／またはテープストレージを含むがこれに限定されない着脱可能ストレージまたは固定型ストレージ等の追加ストレージ２２４を含み得る。ディスクドライブとその関連コンピュータ可読媒体は、コンピューティングデバイスに、コンピュータ可読命令、データ構造、プログラムモジュール、及び他のデータの不揮発性ストレージを提供し得る。いくつかの実施態様において、メモリ２２０には、静的ランダムアクセスメモリ（ＳＲＡＭ）、動的ランダムアクセスメモリ（ＤＲＡＭ）、またはＲＯＭ等の複数の異なる種類のメモリが含まれ得る。メモリ２２０のコンテンツをより詳しく見てみると、メモリ２２０は、オペレーティングシステム２２６と、多数のネットワークサイトにわたって調達ポリシーを施行するモジュール（調達施行モジュール２２８）を少なくとも含む、本明細書において開示される特徴を実施する１つまたは複数のアプリケーションプログラムまたはサービスとを含み得る。メモリ２２０はまた、調達ポリシー／規則に関連するデータを含む調達ポリシーデータ２３０を含み得る。少なくとも一実施形態によれば、調達ポリシーデータ２３０は、データベースまたは他のデータ記憶スキーマに記憶され得る。
【００２０】
着脱可能及び着脱不可能の両方のメモリ２２０及び追加ストレージ２２４は、非一時的コンピュータ可読記憶媒体の実施例である。例えば、非一時的コンピュータ可読記憶媒体には、コンピュータ可読命令、データ構造、プログラムモジュール、または他のデータ等の情報を記憶するための任意の好適な方法または技術で実行される揮発性または不揮発性、かつ着脱可能または着脱不可能な媒体が含まれ得る。本明細書において使用されるモジュールは、ユーザデバイス２０４またはサービスプロバイダ２０６の一部である、コンピューティングシステム（例えばプロセッサ）により実行されるプログラミングモジュールを指し得る。サービスプロバイダ２０６はまた、データストア、別のコンピューティングデバイスもしくはサーバ、ユーザ端末、及び／またはネットワーク（複数可）２０８上の他のデバイスとサービスプロバイダ２０６が通信することを可能にする通信接続（複数可）２３２を含み得る。サービスプロバイダ２０６はまた、例えばキーボード、マウス、ペン、音声入力デバイス、タッチ入力デバイス、ディスプレイ、スピーカー、プリンタ、または任意の好適な外部デバイスとの接続を可能にする、入出力（Ｉ／Ｏ）デバイス（複数可）及び／またはポート２３４を含み得る。
【００２１】
メモリ２２０のコンテンツをより詳しく見てみると、メモリ２２０は、オペレーティングシステム２２６と、調達ポリシーデータ２３０を含むデータベースと、本明細書に開示される特徴を実施する、調達施行モジュール２２８を含む１つまたは複数のアプリケーションプログラムまたはサービスとを含み得る。
【００２２】
少なくとも一実施形態によれば、調達施行モジュール２２８は、拡張モジュール２１８からデータを受信し、多数のネットワークサイトにわたって調達ポリシーを施行するように構成され得る。少なくとも一実施形態によれば、サービスプロバイダ２０６は、ユーザ２０２ごとのアカウント情報を、各アカウントに対応付けられた調達ポリシーデータ２３０と共に保持し得る。アカウントは、事業組織、またはその組織内のユーザの役割に対応付けられ得る。サービスプロバイダ２０６はまた、ユーザ２０２のアカウントに関する事業階層を保持し得る。例えば、サービスプロバイダ２０６は、第１ユーザは第２ユーザのマネージャであることを示す情報を記憶し得る。当実施例において、第２ユーザにより購買が行われる前に、第１ユーザによる承認が求められ得る。ユーザ２０２は、事業関連購買を行う前に、アカウントにログインする必要があり得る。
【００２３】
調達ポリシーデータ２３０は、事前に決定され得る、あるいは動的に生成され得る。少なくとも一実施形態によれば、調達ポリシーデータ２３０は、１つまたは複数の調達ポリシー、及び／または１つまたは複数の規則集合を含み得る。少なくとも一実施形態によれば、調達ポリシーデータ２３０は、特定のアカウントに対応付けられた規則階層を含み得る。例えば、調達ポリシーデータ２３０には、事業体に特化した調達規則（複数可）、事業体内の役割、支払方法、または特定ユーザが含まれ得る。さらなる実施例として、ＸＹＺ法人の調達代理人であるユーザ２０２は、ＸＹＺ法人の従業員により行われる取引を統治する規則集合を遵守し得る。当実施例において、ユーザ２０２はまた、ＸＹＺ法人の調達代理人により行われる取引を統治する第２規則集合も遵守し得る。さらに、ユーザ２０２は、ＸＹＺ法人のクレジットカードを使用して行われる取引を統治する第３規則集合も遵守し得る。当実施例において、これらの規則集合のそれぞれは、サービスプロバイダ２０６により保持されるアカウントを介して、ユーザ２０２と対応付けられ得る。
【００２４】
調達ポリシーデータ２３０は、様々な調達規則を含み得る。調達規則は、購買権限の指定を含み得る、あるいはユーザが購買を認可されている商品または商品の種類を選び得る。例えば、事務管理者の役割のユーザは、事務用品の商品カテゴリ内に入る商品のみを購買することが認可され得る。事務用品のカテゴリは初期設定の商品カテゴリであり得る、あるいはカテゴリを作成する権限を有するユーザにより定義され得る。商品提案のタイトル、商品提案の商品番号、商品提案に対応付けられたメタデータ、及び／または任意の好適な商品情報に基づいて、商品提案に対し商品カテゴリが特定され得る。調達規則には、最低もしくは最高購買額を設定する、または署名権限を必要とする能力が含まれ得る。例えば、規則は、３００ドルを超える購買は全て、管理者の承認を必要とすることを示し得る。ユーザがこのような購買を試みる場合、ユーザのマネージャは、承認のために連絡を受け得る。調達規則は、購買及び／または出荷要件を自動で事前設定または設定し得る。例えば、事業体は、調達システムを使用して購買される商品提案は全て、事業体の事務所に直接発送されるように要求する規則を設定し得る。当実施例において、発送先住所は事前に埋められ、または自動で事前設定され、ユーザに発送先住所を入力または更新する能力は与えられ得ない。調達規則のいくつかの実施例が上記に説明されているが、調達ポリシーデータ２３０に記憶され得る調達規則はより多く存在する。よって、これらの実施例は、非限定的であることが意図される。
【００２５】
調達規則の代わりに、または調達規則に加えて、調達ポリシーデータ２３０は、様々な調達フローワークを含み得る。少なくとも一実施形態によれば、調達ワークフローには、調達関連タスク及び／またはトランザクションを作成、進行、更新、削除、終了、及び／または完了するために順番で行われる一連の活動（例えばユーザ実行及び／またはコンピュータ実行活動）が含まれる。少なくとも一実施形態によれば、事業体は、ワークフロー（例えばカスタムワークフロー）を作成、編集、及び／または更新する能力を与えられ得る。少なくとも一実施形態によれば、事業体は（例えば好適な代理人を介して）、ワークフローをカスタマイズ（例えばワークフローに対し調達関連活動を変更、削除、及び／または追加）することが可能である。カスタムワークフローは、事業体の代理として調達関連活動に参加することを認可された１つまたは複数の種類のユーザに対応付けられ得る。一旦確立されると、サービスプロバイダ２０６は、特定の種類のユーザに対し、カスタムワークフローを施行し得る。少なくとも一実施形態によれば、事業体により設定される調達規則は、特定条件が満たされた時に、ワークフローに対し活動を追加または削除可能である。例えば、事業体は、５００ドルを超える全ての購買は追加承認を必要とするという規則を制定し得る。少なくとも一実施形態によれば、５００ドルを超える任意の取引を伴う調達ワークフローに、承認（または認可）活動が追加され得る。少なくとも一実施形態によれば、承認活動は、既に調達ワークフローの一部であり、５００ドル未満の取引に関しては削除され得る。
【００２６】
図２において調達施行モジュール２２８及び調達ポリシーデータ２３０は、サービスプロバイダ２０６のメモリ２２０に実装されているように示されるが、調達施行モジュール２２８及び調達ポリシーデータ２３０のうちの一方または両方は、ユーザデバイス２０４のメモリ２１４にも（拡張モジュール２１８等により）実装可能であることが想定される。少なくとも一実施形態によれば、多数のベンダーネットワークサイトにわたる調達ポリシーの施行の一部は、サービスプロバイダ２０６において調達施行モジュール２２８により、及び／またはユーザデバイス２０４において拡張モジュール２１８により行われ得る。本開示は、これらの実施態様の任意の好適な組み合わせを包含するように意図される。
【００２７】
少なくとも一実施形態によれば、ユーザデバイス２０４は、ネットワーク（複数可）２０８を介して、または他のネットワーク接続を介して、少なくとも１つのネットワークベース小売業者２３６と通信し得る。ネットワークベース小売業者２３６は、少なくとも１つの商品提案を提供する実体である。ユーザ２０２は、サービスプロバイダ２０６を介して発注されるネットワークベース小売業者２３６から購入可能な１つまたは複数の商品を選択し得る。ネットワークベース小売業者２３６は、多数の商品提案を有する別個の商品カタログ（データベース内等）を保持し得る。ネットワークベース小売業者２３６は、サービスプロバイダ２０６とアフィリエイト関係であり得る、あるいは非アフィリエイトの実体であり得る。非アフィリエイトの実体とは、サーバプロバイダ２０６と財務的または支援的関係を共有しない事業体及び／または組織体である。
【００２８】
図３は、少なくとも一実施形態による例示的調達施行の態様を示すデータフロー図である。説明的実施例３００において、ネットワーク小売サイトを介して購入可能な商品提案３０４を見るために使用されているブラウザ３０２が表示される。説明的実施例３００内のネットワーク小売サイトは、サービスプロバイダ３０６とアフィリエイト関係であり得る、または対応付けられ得る、あるいは非アフィリエイトのネットワーク小売業者であり得る。サービスプロバイダ３０６は、図２のサービスプロバイダ２０６の実施例である。事業体３０７は、サービスプロバイダ３０６とのアカウントを有し得る、あるいはサービスプロバイダ３０６と通信し得る。少なくとも一実施形態によれば、ブラウザ３０２は、ブラウザ拡張またはプラグインの使用を通して、自身の機能を拡張し得た。ブラウザは、１つまたは複数の拡張アイコン（複数可）３０８の追加を介して、当追加機能を示し得る。少なくとも一実施形態によれば、購入可能な商品提案３０４をユーザが見ている時に、ユーザは拡張アイコン３０８を操作可能であり得る。拡張アイコン３０８の操作により、商品提案３０４の識別を有するクッキー内の情報が作成または記憶され得る。拡張アイコン３０８の操作により、ネットワークハイパーリンク、ネットワークブックマーク（後の検索のために様々な記憶形式のうちのいずれかで記憶されるユニフォームリソース識別子（ＵＲＩ））、または商品提案３０４の識別を有するユニフォームリソース識別子を含む要求が作成され得る。少なくとも一実施形態によれば、商品提案が購入不可能である、または商品を提案する電子小売業者が非対応である時、ユーザは拡張アイコン３０８を操作不可能となり得る、または拡張アイコン３０８は灰色表示となり得る。少なくとも一実施形態によれば、拡張アイコン３０６は、ユーザが購買を完了できるチェックアウトページ３１０へユーザを導き得る。
【００２９】
少なくとも一実施形態によれば、ユーザによる商品提案３０４の購買試行の際、調達ポリシー３１２が適用され得る。購買ポリシー３１２は、事業体３０７により提供され、規則集合としてサービスプロバイダ３０６により調達ポリシーデータ３１４に記憶され得る。調達ポリシーデータ３１４は、図２の例示的調達ポリシーデータ２３０である。少なくとも一実施形態によれば、調達ポリシーは、ユーザにとって利用可能な状態にされ得る。例えば、適用ポリシーを示す調達施行メッセージ３１６が、ユーザに提供され得る。さらなる実施例として、最高価格閾値を超えると、購買を試みるユーザは通知を受け、購買は阻止され得る。少なくとも一実施形態によれば、調達ポリシー３１２は、ユーザの認識なしに施行され得る。例えば、ユーザが購買を行う度に、ユーザのマネージャは通知を受け得る、あるいは消費レポートが生成され得る。
【００３０】
図４は、少なくとも一実施形態による例示的ユーザ操作の態様を示すユースケース図である。説明的実施例４００において、ユーザ４０２は、ユーザデバイス４０４を介して、インターネット等のネットワークにアクセス可能である。説明的実施例４００において、ユーザ４０２は、複数のネットワーク小売業者４０６、４０８、４１０にアクセス可能である。ユーザ４０２は、ネットワーク小売業者４０６により保持される商品カタログまたはデータベースに記憶された様々な商品を閲覧及び選択可能であり得る。少なくとも一実施形態によれば、サービスプロバイダ４１２はネットワーク小売業者としても機能し、ユーザは、サービスプロバイダ４１２により保持される商品カタログから購入可能な商品を閲覧及び選択し得る。サービスプロバイダ４１２は、図２のサービスプロバイダ２０６の実施例である。
【００３１】
ネットワーク小売業者４０６は、サービスプロバイダ４１２の外部に存在し得る。外部ネットワーク小売業者４０６が有効なアカウントまたはログイン情報を要求する少なくとも一実施形態によれば、サービスプロバイダ４１２は、外部ネットワーク小売業者４０６とのアカウントを保持し得る。外部ネットワーク小売業者４０６が有効なアカウントまたはログイン情報を要求する少なくとも一実施形態によれば、サービスプロバイダ４１２は、サービスプロバイダ４１２により記憶された情報を使用して４０２のためにアカウントを作成し得る。少なくとも一実施形態によれば、サービスプロバイダ４１２はネットワーク小売業者４０６から配送センターへ商品を発注し、それから商品はユーザ４０２へ送付され得る。少なくとも一実施形態によれば、サービスプロバイダ４１２は、ユーザ４０２により提供される支払情報を使用して発注を行い、商品を直接ユーザ４０２へ出荷させ得る。
【００３２】
一旦ユーザ４０２がネットワーク小売業者４０６から少なくとも１つの商品提案を選択すると、ユーザ４０２は、チェックアウトページの提供を要求することが可能となる。チェックアウトページは、ブラウザインターフェイス上のアイコンを介してアクセスされ得る、あるいはユーザがサービスプロバイダにより保持されるサイトにブラウザを指示する時に（サイトのユニフォームリソースロケータを入力する等して）アクセスされ得る。ユーザ４０２は、チェックアウトページが提供される前に、アカウントにサインインする必要があり得る。少なくとも一実施形態によれば、チェックアウトページには、ユーザ４０２が選択した商品の集約リストが含まれ得る。一旦少なくとも１つの商品提案が選択されると、調達ポリシー４１４が施行され得る。これらの調達ポリシーは、ユーザ４０２にチェックアウトページが提供される前に施行され得る、あるいは購買要求の提出時にこれらは施行され得る。例えば、ユーザ４０２は購入を認可されていない商品を選択することが禁止され得る、または商品をショッピングカートに追加するのに通常使用されるアイコンが灰色に表示され得る、あるいは無効にされ得る。調達ポリシー４１４はまた、ユーザ４０２が販売取引を完了しようとする時にも施行され得る。
【００３３】
ユーザ４０２がそれぞれの調達ポリシー４１４を満たした時、購買指示書４１６が生成され得る。任意の段階で、サービスプロバイダ４１２は、特定のユーザ４０２による特定のネットワーク小売業者４０６からのある閾値を超える購買、または任意の他の好適な購買情報を詳述するレポート４１８を生成し得る。レポート４１８は、自動的に、または要求に応じて、生成され得る。
【００３４】
図５は、少なくとも一実施形態による例示的商品選択の態様を示すユーザインターフェイス図である。説明的実施例５００において、第１商品提案５０２がブラウザ５０４に提示される。少なくとも一実施形態によれば、有効アイコン５０６は、ブラウザ５０４の能力がブラウザ拡張により拡張されたことを示し得る。有効アイコン５０６はまた、第１商品提案５０２または第２商品提案５０４等、現在見ている商品提案がサービスプロバイダを使用して購入可能であることを示し得る。有効アイコン５０６を選択すると、サービスプロバイダは、閲覧中の商品提案の指示を受信し得る。少なくとも一実施形態によれば、サービスプロバイダは、リンク、ブックマーク、または商品提案ページに関するクッキー内に記憶される情報等、ネットワークサイト情報を受信し得る。少なくとも一実施形態によれば、サービスプロバイダは、ネットワーク小売業者の識別子及び商品の識別子を受信し得る。例えば、サービスプロバイダは、ユーザがｗｗｗ．ｂｕｓｉｎｅｓｓｓｕｐｐｌｉｅｓ．ｃｏｍから購入可能な「商品１５２４３」に関心があるという指示を受信し得る。
【００３５】
少なくとも一実施形態によれば、無効アイコン５１０が提示され得る。無効アイコン５１０はまた、第３商品提案５１２等、現在見ている商品提案がサービスプロバイダを介して購入不可能であることを示し得る。少なくとも一実施形態によれば、調達ポリシー４１４により設定される要件をユーザが満たしていないため、商品提案は購入不可能であり得る。少なくとも一実施形態によれば、サービスプロバイダは、商品を提供するネットワーク小売業者と、アフィリエイトまたは購買関係になくてもよい。少なくとも一実施形態によれば、無効アイコン５１０を操作することにより、サービスプロバイダがネットワーク小売業者と購買関係を確立するよう、サービスプロバイダに対し要求が提出され得る。
【００３６】
例示的チェックアウトページ５１４も実施例５００に示される。少なくとも一実施形態によれば、チェックアウトページ５１４には、商品提案の集約リスト５１６が含まれ得る。商品提案の集約リスト５１６には、タイトル、説明、寸法、価格、または任意の好適な商品情報等、商品提案５１８に関する情報が含まれ得る。一旦商品提案の集約リスト５１６をユーザが満たすと、ユーザは、購買要求を提出するよう選択し得る。少なくとも一実施形態によれば、調達ポリシー４１４は、購買要求の提出時に適用される。
【００３７】
図６は、少なくとも一実施形態による調達ポリシーを実施する例示的方法の態様を示すフローチャートである。一部または全てのプロセス６００（あるいは本明細書において説明される任意の他のプロセス、またはそれらの変形形態及び／もしくはそれらの組み合わせ）は、実行可能命令で構成される１つまたは複数のコンピュータシステムの制御の下で実行され、そしてハードウェアまたはそれらの組み合わせにより、１つまたは複数のプロセッサ上で集合的に実行されるコード（例えば実行可能命令、１つまたは複数のコンピュータプログラム、もしくは１つまたは複数のアプリケーション）として、実装され得る。少なくとも一実施形態によれば、図６のプロセス６００は、図２に示される少なくとも１つまたは複数のサービスプロバイダ２０６により行われ得る。コードは、例えば、１つまたは複数のプロセッサにより実行可能な複数の命令を含むコンピュータプログラムの形態で、コンピュータ可読記憶媒体上に記憶され得る。コンピュータ可読記憶媒体は、非一時的であり得る。
【００３８】
プロセス６００は、ユーザがログインした時、サービスプロバイダにより保持されるネットワーク小売サイトを訪問した時、またはネットワーク小売業者により保持されるネットワーク小売サイトにおける商品カタログを閲覧し始めた時、６０２にて開始され得る。プロセス６００内の６０４にて、ユーザはネットワーク小売サイトから商品提案を見るよう選択し得る。少なくとも一実施形態によれば、６０６にて、ユーザはアイコンを選択することによりブラウザ拡張を有効化することが可能である。アイコンを選択すると、商品を提供するネットワーク小売業者とサービスプロバイダとの間にアフィリエイト関係があるか否かに関して必ず判定が行われる。アフィリエイト関係がある場合、６０８にて、商品提案は集約商品リストに追加され得る。しかしながら、サービスプロバイダ２０６とネットワーク小売業者との間に現行のアフィリエイト関係がない場合、６１０にて、サービスプロバイダは、商品を注文するのにアフィリエイト関係またはアカウントが必要であるかを判断する必要があり得る。発注するのにアフィリエイト関係またはアカウントが必要ない場合、サービスプロバイダはそれから、商品を集約商品リストに追加し得る。
【００３９】
ネットワーク小売サイトと購買を行うのにアフィリエイト関係またはユーザアカウントが求められる場合、６１２にて、サービスプロバイダは、アフィリエイト関係またはユーザアカウントの作成を試み得る。少なくとも一実施形態によれば、サービスプロバイダは、自身のために、外部ネットワーク小売業者とのアカウントを作成し、保持し得る。例えば、サービスプロバイダは、自身のユーザごとの発注を行うために使用するネットワーク小売サイトとのアカウントを作成し得る。少なくとも一実施形態によれば、サービスプロバイダは、特定ユーザに代わって発注を行うために使用するユーザのためのアカウントを作成し得る。少なくとも一実施形態によれば、ユーザは、サービスプロバイダがネットワーク小売サイトと関係を確立するように要求可能である。少なくとも一実施形態によれば、技術者は、ユーザの購買要求を手動で設定し得る。一旦ネットワーク小売サイトとサービスプロバイダとの間にアカウントまたはアフィリエイト関係が作成されると、商品提案は、集約商品リストに追加され得る。
【００４０】
一旦集約商品リストが生成されると、６１４にて、プロセスをチェックアウトまたは完了する機会がユーザに与えられる。ユーザは、商品選択を続けることを選び得る。少なくとも一実施形態によれば、一旦ユーザがチェックアウトを選択すると、６１６にて、集約商品リストが表示され得る。少なくとも一実施形態によれば、集約商品リストはまた、各商品提案に関する追加データも含み得る。
【００４１】
少なくとも一実施形態によれば、取引が完了可能となる前に、６１８にて、調達ポリシーが取引に適用され得る。当ステップにおいて、取引に関わる各商品は、調達ポリシーに照らして確認され得る。少なくとも一実施形態によれば、ユーザ特有、役割特有、または事業体特有の調達ポリシーが存在し、取引に適用される。これらの調達ポリシーに基づいて、いくつかの商品は、集約商品リストから削除され得る、または却下され得る、または認可プロセスに提出され得る。一旦調達ポリシーが取引に適用されると、６２０にて、取引に関わる各ネットワーク小売業者からのそれぞれの承認済商品に関して発注が行われる。
【００４２】
図７は、少なくとも一実施形態による購買取引を遂行する例示的方法の態様を示すフローチャートである。一部または全てのプロセス７００（あるいは本明細書において説明される任意の他のプロセス、またはそれらの変形形態及び／もしくはそれらの組み合わせ）は、実行可能命令で構成される１つまたは複数のコンピュータシステムの制御の下で実行され、そしてハードウェアまたはそれらの組み合わせにより、１つまたは複数のプロセッサ上で集合的に実行されるコード（例えば実行可能命令、１つまたは複数のコンピュータプログラム、もしくは１つまたは複数のアプリケーション）として、実装され得る。少なくとも一実施形態によれば、図７のプロセス７００は、図２に示される少なくとも１つまたは複数のサービスプロバイダ２０６により行われ得る。コードは、例えば、１つまたは複数のプロセッサにより実行可能な複数の命令を含むコンピュータプログラムの形態で、コンピュータ可読記憶媒体上に記憶され得る。コンピュータ可読記憶媒体は、非一時的であり得る。
【００４３】
プロセス７００は、ユーザがログインした時、サービスプロバイダにより保持されるネットワークサイトを訪問した時、またはネットワーク小売業者により保持される商品カタログを閲覧し始めて購買取引において購入する少なくとも１つの商品を選択した時、７０２にて開始され得る。７０４にて、購入する商品が特定され得る。少なくとも一実施形態によれば、購入する商品を特定するユニフォームリソースロケータまたはネットワークページリンクが、サービスプロバイダ２０６へ送信され得る。少なくとも一実施形態によれば、ユーザが商品を選択すると、選択された商品を示すブラウザクッキーが、ユーザマシン上に設定され得る。少なくとも一実施形態によれば、ユーザは、様々なネットワーク小売業者から複数の商品を選択し得る。これらの実施形態において、商品は、チェックアウトページ上でユーザに表示される集約商品リストにまとめられ得る。
【００４４】
７０６にて、サービスプロバイダ２０６はそれから、調達規則の集合から、購買取引に適用すべき少なくとも１つの規則を決定し得る。当規則は、購買される商品、購買を行うユーザ、ユーザが属する事業体（例えば図３の事業体３０７）、利用される支払方法、または任意の他の関連要素に基づいて、適用されるものとして決定され得る。一旦１つまたは複数の規則が購買取引に適用されるものとして決定されると、７０８にて、規則が適用される。
【００４５】
規則集合は、データベース、テキスト文書、マークアップ言語文書（拡張マークアップ言語（ＸＭＬ）等）、または任意の他の好適な記憶方法で、記憶され得る。例えば、ＸＭＬ文書で記憶された規則集合は、以下の形式を有し得る。
＜ＡＢＣ＿Ｃｏｒｐ＞
＜ｌｉｍｉｔ＞
＄１０００
＜／ｌｉｍｉｔ＞
＜ＰｒｏｃｕｒｅｍｅｎｔＡｇｅｎｔ＞        
＜ａｐｐｒｏｖａｌ＞
＄５００
＜／ａｐｐｒｏｖａｌ＞
＜／ＰｒｏｃｕｒｅｍｅｎｔＡｇｅｎｔ＞
＜／ＡＢＣ＿Ｃｏｒｐ＞
当実施例において、規則集合は、事業体ＡＢＣ法人に適用され得る。さらに、当実施例は、ＡＢＣ法人の全従業員に適用されるルールと、その事業体内の特定の担当業務（調達代理人）に適用されるルールの２つのルールに関係する。当実施例において、ＡＢＣ法人の従業員は、１０００ドルを超す金額を費やすことはできない。さらに、事業体ＡＢＣ法人により雇用される調達代理人は、１０００ドルの上限を課せられる以外に、５００ドルを超える全ての取引に関して承認を必要とする。取引に対し規則を適用する際、取引に関連する条件が、規則に照らして評価される。トリガ条件、すなわち規則が適用されることを示す条件が満たされる場合には、そのトリガ条件に対応付けられた規則が取引に適用され得る。各規則に活動が対応付けられ得る。例えば、制限規則は「拒否」活動に対応付けられ、そのため制限規則の全てのトリガ条件が満たされた場合、取引は拒否される。上の実施例を使用して説明すると、調達代理人が６００ドルの商品の購入を試みた場合、承認規則のトリガ条件は満たされるが、制限規則のトリガ条件は満たされない。当シナリオにおいて、承認規則は、調達代理人のマネージャ（または他の権限を有する実体）が取引を承認するまで、取引を止める。さらなる実施例として、承認規則の適用の結果、購買指示書は認可のために第２ユーザへ送られる。
【００４６】
調達ポリシーは、事業体により選択及び／または提供後、サービスプロバイダにより記憶され得る。少なくとも一実施形態によれば、初期設定の調達ポリシーは、サービスプロバイダにより提供され得る。例えば、サービスプロバイダは、事業体の新規アカウントの作成の際、初期設定の調達ワークフローを提供し得る。さらに、事業体に、調達ポリシーデータの一部として記憶されるワークフロー、調達活動、及び／または調達規則を、作成、変更、削除、及び／または追加する能力が与えられる。少なくとも一実施形態によれば、事業体は、調達ポリシーの集合をマークアップ言語文書（例えばＸＭＬ文書）でサービスプロバイダにアップロード及び／または提供し、サービスプロバイダはそれを構文解析し、好適な対応データ構造にマッピングし得る。少なくとも一実施形態によれば、事業体は、サービスプロバイダにより保持されるグラフィカルユーザインターフェイス（ＧＵＩ）を介して、調達ポリシーを設定し得る。グラフィカルユーザインターフェイスを介して選択及び／または編集される調達ポリシーはそれから、サービスプロバイダ２０６により、１つまたは複数の好適な形式に変換され得る、及び１つまたは複数の好適な形式で記憶され得る。
【００４７】
少なくとも一実施形態によれば、認可担当者に対し、比較（例えば複数の商品に関する価格設定情報）が提供され得る。例えば、前の実施例におけるＡＢＣ法人の調達代理人が、ベンダー１から商品を６００ドルで購入しようとする場合、管理者からの認可が求められ得る。当実施例において、ベンダー１から６００ドルで購入される同一商品（または均等物）は、ベンダー２から５００ドルで購入可能であるという通知も、管理者に提供され得る。当実施例は、認可担当者が価格に基づいて比較を行うことを可能にすることに焦点を当てているが、業者評価、地理的位置、業者信頼度、または任意の他の好適な要素等、任意の数の要素に比較は基づき得る。認可担当者はさらに、商品の第三者的販売者を、ベンダー１からベンダー２へ切り替える能力が与えられ得る。少なくとも一実施形態によれば、商品の販売者以外の注文詳細は変わらず、調達代理人は取引に関してさらなる操作を行わない。
【００４８】
一旦調達規則が購買取引に適用されると、７１０にて、ユーザに代わって注文が行われる。これを行うために、サービスプロバイダ２０６は、非アフィリエイトネットワーク小売業者とのアカウントを作成し得る。アカウントは、ユーザに関連する情報を提供することにより、ユーザのために作成され得る。アカウントは、実際の顧客がネットワーク小売業者に晒されないように、サービスプロバイダ２０６のために作成されてもよい。
【００４９】
さらに様々な実施形態は、多種多様な動作環境において実行可能であり、場合によって動作環境は、多数のアプリケーションのうちのいずれかを作動させるのに使用可能な１つまたは複数のユーザコンピュータ、コンピューティングデバイス、または制御デバイスを含み得る。ユーザすなわちクライアントデバイスには、標準のオペレーティングシステムを実行するデスクトップまたはラップトップコンピュータ、並びにモバイルソフトウェアを実行し、多数のネットワーク及びメッセージ通信プロトコルに対応可能なセルラー、無線、及び手持ち型デバイス等、多数のパーソナルコンピュータのうちのいずれかが含まれ得る。このようなシステムはまた、開発及びデータベース管理等のために、様々な市販のオペレーティングシステム及び他の周知のアプリケーションのうちのいずれかを実行する多数のワークステーションを含み得る。これらのデバイスには、ダミー端末、シンクライアント、ゲーム機、及びネットワークを介して通信可能な他のデバイス等、他の電子デバイスも含まれ得る。
【００５０】
伝送制御プロトコル／インターネットプロトコル（ＴＣＰ／ＩＰ）、開放型システム間相互接続（ＯＳＩ）、ファイル転送プロトコル（ＦＴＰ）、ユニバーサルプラグアンドプレイ（ＵｐｎＰ）、ネットワークファイルシステム（ＮＦＳ）、共通インターネットファイルシステム（ＣＩＦＳ）、及びアップルトーク等、様々な市販のプロトコルのうちのいずれかを使用する通信に対応するために、大半の実施形態は、当業者によく知られる少なくとも１つのネットワークを利用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク、及びこれらの任意の組み合わせであり得る。
【００５１】
ウェブサーバを使用する実施形態において、ウェブサーバは、ハイパーテキスト転送プロトコル（ＨＴＴＰ）サーバ、ＦＴＰサーバ、共通ゲートウェイインターフェイス（ＣＧＩ）サーバ、データサーバ、ジャバサーバ、及びビジネスアプリケーションサーバを含む、様々なサーバまたは中間層アプリケーションのうちのいずれかを実行可能である。サーバ（複数可）はまた、ＪＡＶＡ（登録商標））、Ｃ、Ｃ＃、もしくはＣ＋＋等の任意のプログラミング言語、またはＰｅｒｌ、Ｐｙｔｈｏｎ、もしくはＴＣＬ等の任意のスクリプト言語、並びにこれらの組み合わせで書かれた１つまたは複数のスクリプトもしくはプログラムとして実装され得る１つまたは複数のウェブアプリケーションを実行すること等により、ユーザデバイスからの要求に応じてプログラムまたはスクリプトを実行可能であり得る。サーバ（複数可）にはデータベースサーバも含まれ、Ｏｒａｃｌｅ社、Ｍｉｃｒｏｓｏｆｔ社、ＳＡＰ  ＡＧ、及びＩｎｔｅｒｎａｔｉｏｎａｌ  Ｂｕｓｉｎｅｓｓ  Ｍａｃｈｉｎｅｓ  Ｃｏｒｐｏｒａｔｉｏｎ社から市販されるデータベースサーバが非限定的に含まれ得る。
【００５２】
環境には、前に論述されたように、様々なデータストア、並びに他のメモリ及び記憶媒体が含まれ得る。これらは、１つまたは複数のコンピュータのローカルにある（及び／または中に存在する）記憶媒体上、あるいはネットワーク上で任意または全てのコンピュータから遠隔にある記憶媒体上といった、様々な場所に存在し得る。特定集合の実施形態において、当業者によく知られるストレージエリアネットワーク（ＳＡＮ）に情報は存在し得る。同様に、コンピュータ、サーバ、または他のネットワークデバイスに属する機能を実行するために必要な任意のファイルは、ローカル及び／またはリモートに適宜記憶され得る。システムがコンピュータ化デバイスを含む時、このようなデバイスにはそれぞれ、例えば少なくとも１つの中央処理装置（ＣＰＵ）と、少なくとも１つの入力デバイス（例えばマウス、キーボード、コントローラ、タッチスクリーン、またはキーパッド）と、少なくとも１つの出力デバイス（例えばディスプレイデバイス、プリンタ、またはスピーカー）とを含む、バスを介して電気的に結合され得るハードウェア要素が含まれ得る。このようなシステムはまた、ディスクドライブ、光学記憶デバイス、及び、ランダムアクセスメモリ（ＲＡＭ）もしくは読出専用メモリ（ＲＯＭ）等のソリッドステート記憶デバイス、並びに着脱可能媒体デバイス、メモリカード、フラッシュカード等といった、１つまたは複数の記憶デバイスを含み得る。
【００５３】
このようなデバイスはまた、前述のように、コンピュータ可読記憶媒体リーダ、通信デバイス（例えばモデム、ネットワークカード（無線または有線）、赤外線通信デバイス等）、及び作業メモリを含み得る。コンピュータ可読記憶媒体リーダは、コンピュータ可読情報を一時的及び／またはより永久的に保有、記憶、送信、及び取得するための、リモート、ローカル、固定、及び／または着脱可能の記憶デバイス並びに記憶媒体に相当するコンピュータ可読記憶媒体と接続、または当コンピュータ可読記憶媒体を受けるように構成され得る。システム及び様々なデバイスには通常、クライアントアプリケーションまたはブラウザ等のオペレーティングシステム及びアプリケーションプログラムを含む、少なくとも１つの作業メモリデバイス内に配置された多数のソフトウェアアプリケーション、モジュール、サービス、または他の要素も含まれ得る。代替実施形態は、前述の実施形態からの多数の変形形態を有し得ることは理解されよう。例えば、カスタマイズされたハードウェアも使用され、及び／または特定要素がハードウェア、ソフトウェア（アプレット等のポータブルソフトウェアを含む）またはその両方に実装され得る。さらに、ネットワーク入力／出力デバイス等の他のコンピューティングデバイスへの接続が採用され得る。
【００５４】
コードや部分的コードを含む記憶媒体及びコンピュータ可読媒体には、当技術分野において既知または既に使用されている任意の好適な媒体が含まれ得る。任意の好適な媒体には、コンピュータ可読命令、データ構造、ブログラムモジュール、もしくは他のデータといった情報の記憶及び／または送信に関する任意の方法または技術で実行される揮発性及び不揮発性、着脱可能及び着脱不可能媒体が挙げられるがこれに限定されない記憶媒体及び通信媒体が含まれる。記憶媒体及び通信媒体には、ＲＡＭ、ＲＯＭ、電気的消去可能プログラム可能読出専用メモリ（ＥＥＰＲＯＭ）、フラッシュメモリもしくは他のメモリ技術、コンパクトディスク読取専用メモリ（ＣＤ−ＲＯＭ）、デジタル多用途ディスク（ＤＶＤ）もしくは他の光学ストレージ、磁気カセット、磁気テープ、磁気ディスクストレージもしくは他の磁気記憶デバイス、または所望の情報を記憶するために使用され、システムデバイスによりアクセス可能な任意の他の媒体が含まれる。本明細書において提供される開示及び教示に基づいて、当業者は、様々な実施形態を実行する他のやり方及び／または方法を理解するであろう。
【００５５】
明細書及び図面は適宜、制限的な意味ではなく例示的な意味にみなされるべきである。しかしながら、これらに対し、特許請求の範囲に述べられる開示内容のより広い趣旨と範囲から逸脱せずに、様々な修正及び変更を行うことが可能であることは明白である。
【００５６】
他の変形形態も、本開示の趣旨の範囲内である。従って、開示される技術は様々な修正及び代替構造を許容可能であるが、これらのうちの特定の例示的実施形態が、図面に示され、詳しく前述されている。しかしながら、開示される特定の形式（複数可）に開示内容を限定する意図はなく、それとは逆に、添付の請求項において定義される開示内容の趣旨と範囲に入る全ての修正、代替構造、及び均等物を含める意図があることは理解されよう。
【００５７】
開示される実施形態を記述する文脈（特に以下の請求項の文脈）における「ａ」、「ａｎ」、「ｔｈｅ」、及び同様の指示物の用語の使用は、本明細書において指示されないか、または明らかに文脈と矛盾しない限り、単数と複数の両方を対象にすると解釈されるべきである。「ｃｏｍｐｒｉｓｉｎｇ（含む）」、「ｈａｖｉｎｇ（有する）」、「ｉｎｃｌｕｄｉｎｇ（含む）」、及び「ｃｏｎｔａｉｎｉｎｇ（含む）」の用語は、特に断りのない限り、無制限用語（すなわち「含むがこれに限定されない」という意味）として解釈されるべきである。用語「ｃｏｎｎｅｃｔｅｄ（接続）」は、何かが介在しているとしても、部分的または全体的に含まれる、取り付けられる、または接続される、と解釈されるべきである。本明細書における値の範囲の詳述は、本明細書において特に指示のない限り、範囲内に入る個々の値を個別に指す簡略な方法として用いられることを単に意図し、そして個々の値は、本明細書において個別に詳述されているかのように、明細書に組み込まれる。本明細書において説明される全ての方法は、本明細書において特に指示がないか、または明らかに文脈と矛盾しない限り、任意の好適な順序で行うことが可能である。本明細書において提供される任意及び全ての実施例、または例示語（例えば「ｓｕｃｈ  ａｓ（例えば）」）の使用は、単に開示の実施形態をより分かり易くすることを意図し、特に請求のない限り開示内容の範囲を限定しない。明細書におけるどの文面も、任意の非請求要素が、開示内容の実行に必須であるかのように解釈されるべきではない。
【００５８】
句「Ｘ、Ｙ、またはＺのうちの少なくとも１つ」等の選言的言葉使いは、特に明言のない限り、項目、項等がＸ、またはＹ、またはＺであり得る、あるいはこれらの任意の組み合わせ（例えばＸ、Ｙ、及び／またはＺ）であり得ることを表すために一般に用いられる文脈内で理解されることを意図する。従って、このような選言的言葉使いは、ある実施形態において少なくとも１つのＸ、少なくとも１つのＹ、または少なくとも１つのＺがそれぞれ存在する必要があることを意味する意図は一般になく、また意味するべきではない。
【００５９】
本明細書において説明される本開示の好ましい実施形態には、本発明者が知る本開示を実行するための最適な形態が含まれる。これらの好ましい実施形態の変形形態は、前述の説明を読むことで、当業者に明らかとなるだろう。本発明者は、当業者がこのような変形形態を好適なものとして採用することを見込み、本発明者は、本開示が本明細書において具体的に説明された以外の方法で実行されることを意図する。従って、本開示は、本明細書に添付される請求項において詳述される主題の全ての修正及び均等物を、適用法令により認可したものとして含む。さらに、これらの全ての可能な変形形態における前述の要素の任意の組み合わせは、本明細書において特に指示がないか、または明らかに文脈と矛盾しない限り、開示内容に含まれる。
【００６０】
本開示の実施形態の実施例は、以下の条項を以って説明され得る。
【００６１】
条項１．特定のコンピュータ実行可能命令を実行する、サービスプロバイダに対応付けられた第１コンピューティングデバイスの制御の下、事業体のための商品の調達に関する要求を第２コンピューティングデバイスから受信することであって、前記要求は、前記第２コンピューティングデバイスにより実行されるブラウザアプリケーションを介して前記第２コンピューティングデバイスによりユーザに提示されるネットワーク小売サイトからの前記商品の提案を特定し、前記ユーザに対応付けられ、前記ブラウザアプリケーションに対する拡張により生成され、前記ユーザは前記事業体に対応付けられ、前記事業体は前記サービスプロバイダとは異なる、受信することと、前記要求に応じて、電子データストアにおける前記サービスプロバイダにより保持される複数の調達ポリシーから、前記商品の前記調達に関する調達ポリシーを特定することであって、前記特定することは前記ユーザの属性に少なくとも部分的に基づき、前記複数の調達ポリシーは、様々な事業体のために前記電子データストアにおける前記サービスプロバイダにより保持される、特定することと、前記事業体のための前記商品の調達を前記調達ポリシーが提供することを判定することと、前記調達ポリシーに従って、前記事業体のために前記ネットワーク小売サイトからの前記商品に関する購買取引を開始することとを含むコンピュータ実施方法。
【００６２】
条項２．前記ユーザは、前記サービスプロバイダに対応付けられたユーザアカウントにログインすることを求められ、前記調達ポリシーは、前記複数の調達ポリシーから、前記ユーザの前記属性、並びに前記調達ポリシーと前記ユーザアカウントとの関連性に少なくとも部分的に基づいて特定される、条項１に記載のコンピュータ実施方法。
【００６３】
条項３．前記ネットワーク小売サイトは前記サービスプロバイダとアフィリエイト関係がない、条項１に記載のコンピュータ実施方法。
【００６４】
条項４．前記要求は、前記商品の前記提案を特定するクッキー、前記商品の前記提案を特定するハイパーリンク、前記商品の前記提案を特定するブックマーク、または前記商品の前記提案を特定するユニフォームリソース識別子のうちの少なくとも１つを含む、条項３に記載のコンピュータ実施方法。
【００６５】
条項５．特定のコンピュータ実行可能命令を記憶するように構成されるデータストアと、前記データストアと通信する第１コンピューティングデバイスとを備えるシステムであって、前記第１コンピューティングデバイスはプロセッサを含み、前記プロセッサは、前記特定のコンピュータ実行可能命令を実行して少なくとも、ブラウザアプリケーションを実行する第２コンピューティングデバイスから商品の取引の要求を受信することであって、前記取引は事業体のために行われ、前記要求は前記ブラウザアプリケーションに対する拡張とのユーザによる操作に応じて生成され、前記ブラウザアプリケーションは前記第２コンピューティングデバイス上で前記商品に関する情報を提示する、受信することと、前記要求から前記商品を特定することと、複数の調達ポリシーから、前記商品の前記取引に適用される前記事業体に対応付けられた調達ポリシーを特定することであって、前記複数の調達ポリシーから特定される前記調達ポリシーは前記ユーザの属性に少なくとも部分的に基づく、特定することと、前記事業体に対応付けられた前記調達ポリシーに少なくとも部分的に基づいて、前記商品の前記取引が実行可能であることを判定することと、前記事業体のために前記商品の前記取引の実行を開始することとを実施するように構成される、前記システム。
【００６６】
条項６．前記調達ポリシーは、前記複数の調達ポリシーから、前記事業体、前記ユーザ、支払方法、または前記商品のカテゴリのうちの少なくとも１つに部分的に基づいて特定される、条項５に記載のシステム。
【００６７】
条項７．前記調達ポリシーは、最高取引額、最低取引額、利用すべき支払方法の種類、前記事業体内の前記ユーザの役割、前記取引を完了する前に必要となる認可、または前記商品のカテゴリのうちの少なくとも１つに関連する規則を含む、条項５に記載のシステム。
【００６８】
条項８．前記要求は、クッキー、ハイパーリンク、ブックマーク、またはユニフォームリソース識別子のうちの少なくとも１つを含む、条項５に記載のシステム。
【００６９】
条項９．前記要求は、前記商品が取得可能なネットワークサイトを特定する、条項５に記載のシステム。
【００７０】
条項１０．前記購買取引を開始することは、前記第２コンピューティングデバイス上に前記ブラウザアプリケーションによりチェックアウトページを提示させることを含み、前記チェックアウトページは、前記商品が取得可能な前記ネットワークサイトのプロバイダとは異なるサービスプロバイダに対応付けられる、条項９に記載のシステム。
【００７１】
条項１１．前記プロセッサはさらに、前記事業体のために前記商品の前記取引を実行するために、調達ワークフローを少なくとも実施する前記特定のコンピュータ実行可能命令を実行するように構成される、条項５に記載のシステム。
【００７２】
条項１２．特定のコンピュータ実行可能命令を記憶する非一時的コンピュータ可読記憶メモリデバイスであって、プロセッサにより実行されると、コンピュータシステムに少なくとも、ブラウザを実行するコンピューティングデバイスから、第１商品の調達に関する第１要求を受信することであって、前記ブラウザは第１ネットワークサイトから前記第１商品を参照する第１ネットワークページを提示するため、前記第１要求は前記ブラウザに対する拡張とのユーザによる操作に応じて生成される、受信することと、前記第１要求から前記第１商品を特定することと、前記第１ネットワークサイトのプロバイダとは異なるサービスプロバイダにより保持されるデータストアに記憶される複数の調達規則から、前記ユーザまたは前記実体のうちの少なくとも１つに対応付けられる、前記商品に関する調達規則を特定することとを実施させる、前記非一時的コンピュータ可読記憶メモリデバイス。
【００７３】
条項１３．前記命令は、プロセッサにより実行されると、さらに前記コンピュータシステムに少なくとも、前記ブラウザを実行する前記コンピューティングデバイスから、第２商品の調達に関する第２要求を受信することであって、前記ブラウザは第２ネットワークサイトから前記第２商品を参照する第２ネットワークページを提示するため、前記第２要求は前記ブラウザに対する前記拡張との前記ユーザによる操作に応じて生成される、受信することと、前記第２要求から前記第２商品を特定することと、前記調達規則に従って、前記第１商品及び前記第２商品の調達を開始することとを実施させる、条項１２に記載の非一時的コンピュータ可読記憶メモリデバイス。
【００７４】
条項１４．前記拡張が有効であることを示すために前記ブラウザによりアイコンが提示される、条項１２に記載の非一時的コンピュータ可読記憶メモリデバイス。
【００７５】
条項１５．前記要求は、クッキー、ハイパーリンク、ブックマーク、またはユニフォームリソース識別子のうちの少なくとも１つを含む、条項１２に記載の非一時的コンピュータ可読記憶メモリデバイス。
【００７６】
条項１６．前記特定のコンピュータ実施可能命令は、プロセッサにより実行されると、さらに前記コンピュータシステムに少なくとも、前記調達規則に従って前記第１商品の調達を開始させる、条項１２に記載の非一時的コンピュータ可読記憶メモリデバイス。
【００７７】
条項１７．前記第１商品の調達は、前記調達規則により提供される情報を使用して開始される、条項１２に記載の非一時的コンピュータ可読記憶メモリデバイス。
【００７８】
条項１８．前記ユーザは前記調達規則により提供される前記情報を変更できない、条項１７に記載の非一時的コンピュータ可読記憶メモリデバイス。
【００７９】
条項１９．ブラウザ拡張モジュールを記憶する非一時的コンピュータ可読記憶メモリデバイスであって、前記ブラウザ拡張モジュールは、ユーザコンピューティングデバイスのプロセッサにより実行されると、前記ユーザコンピューティングデバイスに少なくとも、前記ブラウザ拡張モジュールを利用するブラウザが、ネットワークサイトから商品を参照するネットワークページを提示するように、前記ユーザコンピューティングデバイス上にアイコンを提示することと、前記アイコンとのユーザによる操作に応じて、実体のために前記商品を調達する要求を生成することと、複数の調達ポリシーのデータストアを保持するサービスプロバイダコンピューティングシステムへ前記要求を送信することであって、前記サービスプロバイダコンピューティングシステムのプロバイダは前記ネットワークサイトのプロバイダとは異なり、前記サービスプロバイダコンピューティングシステムは、前記ユーザの属性に少なくとも部分的に基づいて前記データストアから前記実体に対応付けられた調達ポリシーを少なくとも特定するように構成される、送信することと、前記サービスプロバイダコンピューティングシステムにより特定された前記調達ポリシーが、前記ネットワークサイトから調達可能な前記商品を提供しないという指示を、前記サービスプロバイダコンピューティングシステムから受信することと、前記アイコンを無効にすることとを実施させる、前記非一時的コンピュータ可読記憶メモリデバイス。
【００８０】
条項２０．前記アイコンが無効にされた後、前記アイコンとの前記ユーザによる操作に起因して、前記ブラウザ拡張モジュールは、ユーザコンピューティングデバイスのプロセッサにより実行されると、さらに前記ユーザコンピューティングデバイスに少なくとも、前記商品が前記ネットワークサイトから調達可能なように、前記サービスプロバイダコンピューティングシステムの前記プロバイダと前記ネットワークサイトの前記プロバイダとの間に関係を確立する要求を生成することと、前記関係を確立する前記要求を前記サービスプロバイダコンピューティングシステムへ送信することとを実施させる、条項１９に記載の非一時的コンピュータ可読記憶メモリデバイス。
【００８１】
条項２１．前記要求は、クッキー、ハイパーリンク、ブックマーク、またはユニフォームリソース識別子のうちの少なくとも１つを含む、条項１９に記載の非一時的コンピュータ可読記憶メモリデバイス。
【００８２】
本明細書において引用される公報、特許出願及び特許を含む全ての参考文献は、各文献が参照により組み込まれるよう個々に具体的に示され、かつその全体が本明細書において記載されるのと同程度に、参照により本明細書に組み込まれるものとする。
【図１】
2018503923.tif 000003
【図２】
2018503923.tif 000004
【図３】
2018503923.tif 000005
【図４】
2018503923.tif 000006
【図５】
2018503923.tif 000007
【図６】
2018503923.tif 000008
【図７】
2018503923.tif 000009
【国際調査報告】
2018503923.tif 000010
2018503923.tif 000011